(57)【要約】  電源の一方の極に接続されている一方の極のジャック端子と、前記電源の他方の極と、抵抗及びコンデンサを介し接続されている第１の他方の極のジャック端子と、前記電源の他方の極に接続されている第２の他方の極のジャック端子と、を有し、前記第１の他方の極のジャック端子及び前記第２の他方の極のジャック端子は、ともに他のコネクタにおける他方の極のプラグ端子と接触するものであって、前記第１の他方の極のジャック端子及び前記第２の他方の極のジャック端子は、ともに前記他方の極のプラグ端子の延びる方向の延長線上に設けられており、他のコネクタと嵌合する状態において、前記第１の他方の極のジャック端子は、前記第２の他方の極のジャック端子よりも前記他のコネクタに近い側に設けられていることを特徴とするコネクタを提供することにより上記課題を解決する。
2015025420.tif 000002
【特許請求の範囲】
【請求項１】
電源の一方の極に接続されている一方の極のジャック端子と、
前記電源の他方の極と、抵抗及びコンデンサを介し接続されている第１の他方の極のジャック端子と、
前記電源の他方の極に接続されている第２の他方の極のジャック端子と、
を有し、
前記第１の他方の極のジャック端子及び前記第２の他方の極のジャック端子は、ともに他のコネクタにおける他方の極のプラグ端子と接触するものであって、
前記第１の他方の極のジャック端子及び前記第２の他方の極のジャック端子は、ともに前記他方の極のプラグ端子の延びる方向の延長線上に設けられており、
他のコネクタと嵌合する状態において、前記第１の他方の極のジャック端子は、前記第２の他方の極のジャック端子よりも前記他のコネクタに近い側に設けられていることを特徴とするコネクタ。
【請求項２】
電源の一方の極に接続されている一方の極のジャック端子と、
前記電源の他方の極と、抵抗及びコンデンサを介し接続されている第１の他方の極のジャック端子と、
前記電源の他方の極に接続されている第２の他方の極のジャック端子と、
を有し、
前記第１の他方の極のジャック端子及び前記第２の他方の極のジャック端子は、ともに他のコネクタにおける他方の極のプラグ端子と接触するものであって、
前記第１の他方の極のジャック端子及び前記第２の他方の極のジャック端子は、ともに前記他方の極のプラグ端子の延びる方向の延長線上に設けられており、
前記第１の他方の極のジャック端子及び前記第２の他方の極のジャック端子と他のコネクタにおける他方の極のプラグ端子とが接触している状態から離れる際には、
前記第２の他方の極のジャック端子と前記他方の極のプラグ端子との接触が離れた後、前記第１の他方の極のジャック端子と前記他方の極のプラグ端子との接触が離れるものであることを特徴とするコネクタ。
【請求項３】
前記電源の他方の極には、前記コンデンサの一方の端子が接続されており、
前記コンデンサの他方の端子は、前記抵抗の一方の端子に接続されており、
前記抵抗の他方の端子は、前記第１の他方の極のジャック端子と接続されていることを特徴とする請求項１または２に記載のコネクタ。
【請求項４】
前記一方の極は負極であり、
前記他方の極は正極であることを特徴とする請求項１から３のいずれかに記載のコネクタ。
【請求項５】
請求項１から４のいずれかに記載のコネクタと、
前記他のコネクタと、
を有するコネクタであって、
前記コネクタは、雌コネクタであって、
前記他のコネクタは、雄コネクタであって、
前記他のコネクタには、前記一方の極のジャック端子と接触する一方の極のプラグ端子が設けられていることを特徴とするコネクタ。
【発明の詳細な説明】
【技術分野】
【０００１】
本発明は、コネクタに関する。
【背景技術】
【０００２】
一般的に電子機器は、電源より電力の供給を受け動作する。このように、電源より電力の供給を受ける際には、通常コネクタを介し電源より電子機器へ電力が供給される。この際用いられるコネクタは、特許文献１、２に開示されているように、凸状の雄型タイプのプラグコネクタと、凹状の雌型タイプのジャックコネクタを嵌合することにより、電気的に接続を行うものである。通常、電子機器にはプラグコネクタが設けられており、電力を供給する側のジャックコネクタが１または２以上設けられているものは、コンセントと呼ばれている。【０００３】
また、近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。【０００４】
しかしながら、直流で高電圧の供給を遮断するとアーク放電が発生する場合があり、このようなアーク放電により生じた熱により、コネクタや電子部品に悪影響を及ぼす場合がある。【０００５】
このため、特許文献３、４に記載されているように、コネクタ内部に機械式のスイッチ等を設け、スイッチ等においてアーク放電を消弧することにより、コネクタや電子部品に及ぼす悪影響を防ぐ方法が開示されている。
【先行技術文献】
【特許文献】
【０００６】
【特許文献１】特開平５−８２２０８号公報
【特許文献２】特開２００３−３１３０１号公報
【特許文献３】特開２０１０−５６０５６号公報
【特許文献４】特開２０１０−１１８１７３号公報
【発明の概要】
【発明が解決しようとする課題】
【０００７】
しかしながら、コネクタ内部に機械式のスイッチ等を設けた場合、コネクタが大型化し、また、機械式のスイッチを構成する部品等が必要となるため、高コストなものとなる。また、機械式のスイッチ等は可動するものであり、また、消耗するものであるため、寿命が短く、これに伴い、機械式のスイッチを内蔵しているコネクタの寿命も短くなる。【０００８】
本発明は、上記点に鑑みてなされたものであり、小型で、低コストで、アーク放電の発生を抑制することのできるコネクタを提供することを目的とするものである。
【課題を解決するための手段】
【０００９】
本実施の形態の一観点によれば、電源の一方の極に接続されている一方の極のジャック端子と、前記電源の他方の極と、抵抗及びコンデンサを介し接続されている第１の他方の極のジャック端子と、前記電源の他方の極に接続されている第２の他方の極のジャック端子と、を有し、前記第１の他方の極のジャック端子及び前記第２の他方の極のジャック端子は、ともに他のコネクタにおける他方の極のプラグ端子と接触するものであって、前記第１の他方の極のジャック端子及び前記第２の他方の極のジャック端子は、ともに前記他方の極のプラグ端子の延びる方向の延長線上に設けられており、他のコネクタと嵌合する状態において、前記第１の他方の極のジャック端子は、前記第２の他方の極のジャック端子よりも前記他のコネクタに近い側に設けられていることを特徴とする。【００１０】
また、本実施の形態の他の一観点によれば、電源の一方の極に接続されている一方の極のジャック端子と、前記電源の他方の極と、抵抗及びコンデンサを介し接続されている第１の他方の極のジャック端子と、前記電源の他方の極に接続されている第２の他方の極のジャック端子と、を有し、前記第１の他方の極のジャック端子及び前記第２の他方の極のジャック端子は、ともに他のコネクタにおける他方の極のプラグ端子と接触するものであって、前記第１の他方の極のジャック端子及び前記第２の他方の極のジャック端子は、ともに前記他方の極のプラグ端子の延びる方向の延長線上に設けられており、前記第１の他方の極のジャック端子及び前記第２の他方の極のジャック端子と他のコネクタにおける他方の極のプラグ端子とが接触している状態から離れる際には、前記第２の他方の極のジャック端子と前記他方の極のプラグ端子との接触が離れた後、前記第１の他方の極のジャック端子と前記他方の極のプラグ端子との接触が離れるものであることを特徴とする。
【発明の効果】
【００１１】
本発明によれば、小型で、低コストで、アーク放電の発生を抑制することのできるコネクタを提供することができる。
【図面の簡単な説明】
【００１２】
【図１】第１の実施の形態におけるコネクタの構造図
【図２】第１の実施の形態におけるコネクタの接続方法の説明図（１）
【図３】第１の実施の形態におけるコネクタの接続方法の説明図（２）
【図４】第１の実施の形態におけるコネクタの接続解除方法の説明図（１）
【図５】第１の実施の形態におけるコネクタの接続解除方法の説明図（２）
【図６】第２の実施の形態におけるコネクタの構造図
【図７】第２の実施の形態におけるコネクタの接続方法の説明図（１）
【図８】第２の実施の形態におけるコネクタの接続方法の説明図（２）
【図９】第２の実施の形態におけるコネクタの接続解除方法の説明図（１）
【図１０】第２の実施の形態におけるコネクタの接続解除方法の説明図（２）
【図１１】コネクタ２００の斜視図
【図１２】コネクタ２００においてカバー部２３０を取り除いた状態の斜視図
【図１３】コネクタ２００において内部絶縁部２３１を取り除いた状態の斜視図
【図１４】コネクタ２００の側面図
【図１５】コネクタ２００の上面図
【図１６】コネクタ２００の断面図
【図１７】コネクタ２００において内部絶縁部２３１を取り除いた状態の側面図
【発明を実施するための形態】
【００１３】
本発明を実施するための形態について、以下に説明する。尚、同じ部材等については、同一の符号を付して説明を省略する。
【００１４】
〔第１の実施の形態〕
（コネクタ）
第１の実施の形態におけるコネクタについて説明する。本実施のコネクタは、図１に示されるように、雄コネクタ１０と雌コネクタ２０とを嵌合することにより接続されるものである。尚、本実施の形態においては、コネクタとは、雄コネクタ１０と雌コネクタ２０とにより形成されるものを意味する場合と、雌コネクタ２０等を意味する場合とがある。
【００１５】
雄コネクタ１０は、雄コネクタ本体部１１、マイナスのプラグ端子１２、プラスのプラグ端子１３を有しており、マイナスのプラグ端子１２及びプラスのプラグ端子１３は、直流の電力を供給することにより作動する電子機器３０等に接続されている。尚、雄コネクタ１０においては、マイナスのプラグ端子１２及びプラスのプラグ端子１３は、略同じ長さとなるように形成されている。また、本実施の形態においては、マイナスのプラグ端子及びジャック端子とは、マイナス極のプラグ端子及びジャック端子を意味し、プラスのプラグ端子及びジャック端子とは、プラス極のプラグ端子及びジャック端子を意味するものとする。また、マイナス極を一方の極、プラス極を他方の極と記載する場合がある。
【００１６】
雌コネクタ２０は、マイナスのジャック端子２２、第１のプラスのジャック端子２３、第２のプラスのジャック端子２４、抵抗２５、コンデンサ２６を有している。雌コネクタ２０は、３０Ｖ程度の直流を供給することのできる電源４０に接続されている。尚、電源４０は、３０ＶＤＣを超え、４００ＶＤＣ程度が定格となる電源であってもよい。具体的には、電源４０の負極にはマイナスのジャック端子２２が接続されており、電源４０の正極には第２のプラスのジャック端子２４と、抵抗２５及びコンデンサ２６を介した第１のプラスのジャック端子２３が接続されている。
【００１７】
また、雄コネクタ１０と嵌合させる状態では、雌コネクタ２０において、マイナスのジャック端子２２は、第１のプラスのジャック端子２３よりも、雄コネクタ１０に近い側に設けられている。また、第１のプラスのジャック端子２３は、第２のプラスのジャック端子２４よりも、雄コネクタ１０に近い側に設けられている。即ち、第１のプラスのジャック端子２３及び第２のプラスのジャック端子２４は、プラスのプラグ端子１３の延びる方向の延長線上に設けられており、第１のプラスのジャック端子２３及び第２のプラスのジャック端子２４は、プラスのプラグ端子１３と接触するものであって、第２のプラスのジャック端子２４は、第１のプラスのジャック端子２３よりも奥に設けられている。
【００１８】
上述したように、電源４０の正極と第２のプラスのジャック端子２４との間には、抵抗２５及びコンデンサ２６が設けられている。具体的には、電源４０の正極は、コンデンサ２６の一方の端子と接続されており、コンデンサ２６の他方の端子は抵抗２５の一方の端子と接続されており、抵抗２５の他方の端子は第１のプラスのジャック端子２３と接続されている。尚、本実施の形態においては、負極またはマイナスを一方の極と記載し、正極またはプラスを他方の極と記載する場合がある。
【００１９】
（コネクタの接続方法及び接続解除方法）
次に、本実施の形態におけるコネクタの接続方法及び接続解除方法について説明する。図２及び図３に基づき本実施の形態におけるコネクタの接続方法を説明し、図４及び図５に基づき本実施の形態におけるコネクタの接続解除方法を説明する。
【００２０】
本実施の形態におけるコネクタを接続する際には、雄コネクタ１０と雌コネクタ２０とを近づけ、雄コネクタ１０と雌コネクタ２０とを接触させ嵌合させることにより接続する。
【００２１】
具体的には、図２（ａ）に示されるように、雄コネクタ１０と雌コネクタ２０とが離れている状態から、雄コネクタ１０と雌コネクタ２０とを近づけることにより、図２（ｂ）に示される状態となる。これにより、雄コネクタ１０におけるマイナスのプラグ端子１２と雌コネクタ２０におけるマイナスのジャック端子２２とが接触する。しかしながら、この状態においては、プラスの側では、プラスのプラグ端子１３と第２のプラスのジャック端子２４とは接触していないため、電源４０からの電力が、雄コネクタ１０及び雌コネクタ２０を介し、電子機器３０に供給されることはない。
【００２２】
次に、更に、雄コネクタ１０と雌コネクタ２０とを近づけることにより、図３（ａ）に示されるように、雄コネクタ１０におけるプラスのプラグ端子１３と雌コネクタ２０における第１のプラスのジャック端子２３とが接触する。しかしながら、第１のプラスのジャック端子２３と電源４０の正極との間には、コンデンサ２６が設けられているため絶縁されており、この状態においては、電源４０からの電力が、雄コネクタ１０及び雌コネクタ２０を介し、電子機器３０に供給されることはない。
【００２３】
次に、更に、雄コネクタ１０と雌コネクタ２０とを近づけることにより、図３（ｂ）に示されるように、雄コネクタ１０におけるプラスのプラグ端子１３と雌コネクタ２０における第２のプラスのジャック端子２４とが接触する。この状態においては、雄コネクタ１０におけるマイナスのプラグ端子１２と雌コネクタ２０におけるマイナスのジャック端子２２とが接触しており、第２のプラスのジャック端子２４は、電源４０の正極と接続されている。よって、雄コネクタ１０におけるプラスのプラグ端子１３と雌コネクタ２０における第２のプラスのジャック端子２４とが接触することにより、電源４０から、雄コネクタ１０及び雌コネクタ２０を介し、電子機器３０に電力が供給される。
【００２４】
次に、本実施の形態におけるコネクタの接続解除方法を説明する。
【００２５】
本実施の形態におけるコネクタの接続を解除する際には、雄コネクタ１０と雌コネクタ２０とを離すことにより、即ち、雌コネクタ２０から雄コネクタ１０を引き抜くことにより接続を解除する。
【００２６】
具体的には、図３（ｂ）に示されるように、電源４０における電力が雄コネクタ１０及び雌コネクタ２０を介し、電子機器３０に供給されている状態から、雄コネクタ１０と雌コネクタ２０とを少し離すことにより、図４（ａ）に示される状態となる。これにより、雄コネクタ１０におけるプラスのプラグ端子１３と雌コネクタ２０における第２のプラスのジャック端子２４とが離れ、第２のプラスのジャック端子２４を介しては、電源４０からの電力が供給されなくなる。
【００２７】
しかしながら、この状態においては、雄コネクタ１０におけるプラスのプラグ端子１３と雌コネクタ２０における第１のプラスのジャック端子２３とは接触している。よって、コンデンサ２６に蓄積されている電荷が、抵抗２５を介し、雄コネクタ１０におけるプラスのプラグ端子１３に流れる。この際流れる電流は、コンデンサ２６に蓄積された電荷が抵抗２５により制限を受けつつ流れるため、電流制限されており、また、電流が流れることにより、プラスのプラグ端子１３における電位は徐々に低下していく。よって、雄コネクタ１０におけるプラスのプラグ端子１３と雌コネクタ２０における第２のプラスのジャック端子２４との間においては、アーク放電は発生しない。
【００２８】
この後、コンデンサ２６に蓄積されている電荷がすべて流れてしまうと、電源４０の正極と第１のプラスのジャック端子２３との間に設けられたコンデンサ２６により絶縁されるため、電源４０からの電力が電子機器３０に供給されることはない。
【００２９】
次に、更に、雄コネクタ１０と雌コネクタ２０とを離すことにより、図４（ｂ）に示される状態となり、雄コネクタ１０におけるプラスのプラグ端子１３と雌コネクタ２０における第１のプラスのジャック端子２３とが離れる。この状態においては、雄コネクタ１０におけるマイナスのプラグ端子１２と雌コネクタ２０におけるマイナスのジャック端子２２とが接触しているが、プラスの側では、プラスのプラグ端子１３と第２のプラスのジャック端子２４とは接触していない。このため、電源４０からの電力が、雄コネクタ１０及び雌コネクタ２０を介し、電子機器３０に供給されることはない。
【００３０】
次に、更に、雄コネクタ１０と雌コネクタ２０とを離すことにより、図５に示されるように、雄コネクタ１０におけるマイナスのプラグ端子１２と雌コネクタ２０におけるマイナスのジャック端子２２とが離れ、雌コネクタ２０より雄コネクタ１０が引き抜かれた状態となる。これにより、本実施の形態におけるコネクタの接続が解除される。
【００３１】
〔第２の実施の形態〕
（コネクタ）
第２の実施の形態におけるコネクタについて説明する。本実施のコネクタは、図６に示されるように、雄コネクタ１１０と雌コネクタ１２０とを嵌合することにより接続されるものである。尚、本実施の形態においては、コネクタとは、雄コネクタ１１０と雌コネクタ１２０とにより形成されるものを意味する場合と、雌コネクタ１２０を意味する場合とがある。
【００３２】
雄コネクタ１１０は、雄コネクタ本体部１１、マイナスのプラグ端子１１２、プラスのプラグ端子１１３を有しており、マイナスのプラグ端子１１２及びプラスのプラグ端子１１３は、直流の電力を供給することにより作動する電子機器３０等に接続されている。雄コネクタ１１０においては、マイナスのプラグ端子１１２は、プラスのプラグ端子１１３よりも長くなるように形成されている。
【００３３】
雌コネクタ１２０は、マイナスのジャック端子１２２、第１のプラスのジャック端子１２３、第２のプラスのジャック端子１２４、抵抗２５、コンデンサ２６を有している。雌コネクタ１２０は、３０Ｖ程度の直流を供給することのできる電源４０に接続されている。尚、電源４０は、３０ＶＤＣを超え、４００ＶＤＣ程度が定格となる電源であってもよい。具体的には、電源４０の負極にはマイナスのジャック端子１２２が接続されており、電源４０の正極には第２のプラスのジャック端子１２４と、抵抗２５及びコンデンサ２６を介した第１のプラスのジャック端子１２３が接続されている。
【００３４】
また、雄コネクタ１１０と嵌合させる状態では、雌コネクタ１２０において、第１のプラスのジャック端子１２３は、第２のプラスのジャック端子１２４よりも、雄コネクタ１１０側に設けられている。即ち、第１のプラスのジャック端子１２３及び第２のプラスのジャック端子１２４は、プラスのプラグ端子１１３の延びる方向の延長線上に設けられており、第１のプラスのジャック端子１２３及び第２のプラスのジャック端子１２４は、プラスのプラグ端子１１３と接触するものであって、第２のプラスのジャック端子１２４は、第１のプラスのジャック端子１２３よりも奥に設けられている。
【００３５】
上述したように、電源４０の正極と第２のプラスのジャック端子１２４との間には、抵抗２５及びコンデンサ２６が設けられている。具体的には、電源４０の正極は、コンデンサ２６の一方の端子と接続されており、コンデンサ２６の他方の端子は抵抗２５の一方の端子と接続されており、抵抗２５の他方の端子は第１のプラスのジャック端子１２３と接続されている。
【００３６】
（コネクタの接続方法及び接続解除方法）
次に、本実施の形態におけるコネクタの接続方法及び接続解除方法について説明する。図７及び図８に基づき本実施の形態におけるコネクタの接続方法を説明し、図９及び図１０に基づき本実施の形態におけるコネクタの接続解除方法を説明する。
【００３７】
本実施の形態におけるコネクタを接続する際には、雄コネクタ１１０と雌コネクタ１２０とを近づけ、雄コネクタ１１０と雌コネクタ１２０とを接触させ嵌合させることにより接続する。
【００３８】
具体的には、図７（ａ）に示されるように、雄コネクタ１１０と雌コネクタ１２０とが離れている状態から、雄コネクタ１１０と雌コネクタ１２０とを近づけることにより、図７（ｂ）に示される状態となる。これにより、雄コネクタ１１０におけるマイナスのプラグ端子１１２と雌コネクタ１２０におけるマイナスのジャック端子１２２とが接触する。しかしながら、この状態においては、プラスの側では、プラスのプラグ端子１１３と第２のプラスのジャック端子１２４とは接触していないため、電源４０からの電力が、雄コネクタ１１０及び雌コネクタ１２０を介し、電子機器３０に供給されることはない。
【００３９】
次に、更に、雄コネクタ１１０と雌コネクタ１２０とを近づけることにより、図８（ａ）に示されるように、雄コネクタ１１０におけるプラスのプラグ端子１１３と雌コネクタ１２０における第１のプラスのジャック端子１２３とが接触する。しかしながら、第１のプラスのジャック端子１２３と電源４０の正極との間には、コンデンサ２６が設けられているため絶縁されており、この状態では、電源４０からの電力が、雄コネクタ１１０及び雌コネクタ１２０を介し、電子機器３０に供給されることはない。
【００４０】
次に、更に、雄コネクタ１１０と雌コネクタ１２０とを近づけることにより、図８（ｂ）に示されるように、雄コネクタ１１０におけるプラスのプラグ端子１１３と雌コネクタ１２０における第２のプラスのジャック端子１２４とが接触する。この状態においては、雄コネクタ１１０におけるマイナスのプラグ端子１１２と雌コネクタ１２０におけるマイナスのジャック端子１２２とが接触しており、第２のプラスのジャック端子１２４は、電源４０の正極と接続されている。よって、雄コネクタ１１０におけるプラスのプラグ端子１１３と雌コネクタ１２０における第２のプラスのジャック端子１２４とが接触することにより、電源４０から、雄コネクタ１１０及び雌コネクタ１２０を介し、電子機器３０に電力が供給される。
【００４１】
次に、本実施の形態におけるコネクタの接続解除方法を説明する。
【００４２】
本実施の形態におけるコネクタの接続を解除する際には、雄コネクタ１１０と雌コネクタ１２０とを離すことにより、即ち、雌コネクタ１２０から雄コネクタ１１０を引き抜くことにより接続を解除する。
【００４３】
具体的には、図８（ｂ）に示されるように、電源４０における電力が雄コネクタ１１０及び雌コネクタ１２０を介し、電子機器３０に供給されている状態から、雄コネクタ１１０と雌コネクタ１２０とを少し離すことにより、図９（ａ）に示される状態となる。これにより、雄コネクタ１１０におけるプラスのプラグ端子１１３と雌コネクタ１２０における第２のプラスのジャック端子１２４とが離れ、第２のプラスのジャック端子１２４を介しては、電源４０からの電力が供給されなくなる。
【００４４】
しかしながら、この状態においては、雄コネクタ１１０におけるプラスのプラグ端子１１３と雌コネクタ１２０における第１のプラスのジャック端子１２３とは接触しているため、コンデンサ２６に蓄積されている電荷が抵抗２５を介し、雄コネクタ１１０におけるプラスのプラグ端子１１３に流れる。この際流れる電流は、コンデンサ２６に蓄積された電荷が抵抗２５により制限を受けつつ流れるため、電流制限されており、また、電流が流れることにより、プラスのプラグ端子１１３における電位は徐々に低下していく。よって、雄コネクタ１１０におけるプラスのプラグ端子１１３と雌コネクタ１２０における第２のプラスのジャック端子１２４との間においては、アーク放電は発生しない。
【００４５】
この後、コンデンサ２６に蓄積されている電荷がすべて流れてしまうと、電源４０の正極と第１のプラスのジャック端子１２３との間に設けられたコンデンサ２６により絶縁されているため、電源４０からの電力が電子機器３０に供給されることはない。
【００４６】
次に、更に、雄コネクタ１１０と雌コネクタ１２０とを離すことにより、図９（ｂ）に示される状態となり、雄コネクタ１１０におけるプラスのプラグ端子１１３と雌コネクタ１２０における第１のプラスのジャック端子１２３とが離れる。この状態においては、雄コネクタ１１０におけるマイナスのプラグ端子１１２と雌コネクタ１２０におけるマイナスのジャック端子１２２とが接触しているが、プラスの側では、プラスのプラグ端子１１３と第２のプラスのジャック端子１２４とは接触していない。よって、電源４０からの電力が、雄コネクタ１１０及び雌コネクタ１２０を介し、電子機器３０に供給されることはない。
【００４７】
次に、更に、雄コネクタ１１０と雌コネクタ１２０とを離すことにより、図１０に示されるように、雄コネクタ１１０におけるマイナスのプラグ端子１１２と雌コネクタ１２０におけるマイナスのジャック端子１２２とが離れ、雌コネクタ１２０より雄コネクタ１１０が引き抜かれた状態となる。これにより、本実施の形態におけるコネクタの接続が解除される。
【００４８】
尚、上記以外の内容については、第１の実施の形態と同様である。
【００４９】
（コネクタの構造）
次に、本実施の形態におけるコネクタではないが、一般的なコネクタ２００の構造及び外観等について図１１〜図１７に基づき説明する。このコネクタ２００は、ＧＮＤ端子２２１、マイナスのジャック端子２２２、プラスのジャック端子２２３を有しており、プリント基板２３０に設置されている。プリント基板２３０に設置されているＧＮＤ端子２２１、マイナスのジャック端子２２２、プラスのジャック端子２２３はカバー部２１０に覆われており、カバー部２１０には、ＧＮＤ端子２２１に対応する開口部２１１、マイナスのジャック端子２２２に対応する開口部２１２、プラスのジャック端子２２３に対応する開口部２１３が設けられている。カバー部２１０内には、プリント基板２３０に設置されているＧＮＤ端子２２１、マイナスのジャック端子２２２、プラスのジャック端子２２３の各々を囲む内部絶縁部２３１が設けられている。
【００５０】
尚、図１１は、コネクタ２００の外観の斜視図であり、図１２は、カバー部２１０を取り除いた状態の斜視図であり、図１３は、内部絶縁部２３１を取り除いた状態の斜視図である。また、図１４は、コネクタ２００の側面図であり、図１５は、上面図であり、図１６は、図１５における一点鎖線１５Ａ−１５Ｂにおいて切断した断面図であり、図１７は、内部絶縁部２３１を取り除いた状態の側面図である。
【００５１】
本実施の形態におけるコネクタにおいては、プラスのジャック端子２２３を第１のプラスのジャック端子とした場合、このプラスのジャック端子２２３よりもプリント基板２３０側に、不図示の第２のプラスのジャック端子が設けられ、更に、プリント基板２３０には、第１のプラスのジャック端子に接続される不図示の抵抗及びコンデンサが設置される。
【００５２】
以上、本発明の実施に係る形態について説明したが、上記内容は、発明の内容を限定するものではない。
【符号の説明】
【００５３】
１０        雄コネクタ
１１        雄コネクタ本体部
１２        マイナスのプラグ端子
１３        プラスのプラグ端子
２０        雌コネクタ
２２        マイナスのジャック端子
２３        第１のプラスのジャック端子
２４        第２のプラスのジャック端子
２５        抵抗
２６        コンデンサ
３０        電子機器
４０        電源
【図１】
2015025420.tif 000003
【図２】
2015025420.tif 000004
【図３】
2015025420.tif 000005
【図４】
2015025420.tif 000006
【図５】
2015025420.tif 000007
【図６】
2015025420.tif 000008
【図７】
2015025420.tif 000009
【図８】
2015025420.tif 000010
【図９】
2015025420.tif 000011
【図１０】
2015025420.tif 000012
【図１１】
2015025420.tif 000013
【図１２】
2015025420.tif 000014
【図１３】
2015025420.tif 000015
【図１４】
2015025420.tif 000016
【図１５】
2015025420.tif 000017
【図１６】
2015025420.tif 000018
【図１７】
2015025420.tif 000019
【国際調査報告】
2015025420.tif 000020
2015025420.tif 000021
2015025420.tif 000022
2015025420.tif 000023